(57)【要約】【課題】リモコン自体の構造は簡素化しながら、簡単な設定登録で、他の外部機器も１つのリモコンで統括して操作可能とする。【解決手段】テレビ放送と外部機器用の操作キーを設けたリモコン２と、このリモコン２の操作信号を受付けて無線接続されたチューナ部３に送信し、チューナ部３からの映像／音声信号を受信して再生出力するモニタ部１と、モニタ部１と無線接続され、リモコン２でのキー操作に対応したテレビ放送又は外部機器から映像／音声信号を取得し、得た映像／音声信号をモニタ部１に送信するチューナ部３とを有するシステムで、チューナ部３は、モニタ部１を介して受付ける、上記リモコン２ではない外部機器専用のリモコンのキー操作信号をその機能と共に予め設定登録しておき、リモコン２の外部機器用のキー操作を受付けると、設定登録していた対応するキー操作信号を読出して外部機器に出力する。【選択図】      図２
2005318098.tif 000002
【特許請求の範囲】
【請求項１】
テレビ放送及び外部機器用の操作キーを設けたリモートコントローラと、このリモートコントローラの操作信号を受付けて無線接続された下記チューナ部に送信し、該チューナ部から送られてきたビデオ信号及び音声信号を受信して画像及び音声を再生出力するモニタ部と、このモニタと無線接続され、上記リモートコントローラでのキー操作に対応したテレビ放送または外部機器からビデオ信号及び音声信号を取得し、取得したビデオ信号及び音声信号を上記モニタ部に送信するチューナ部とを有するテレビジョン受像システムであって、
上記モニタ部及びチューナ部の一方は、上記外部機器専用のリモートコントローラのキー操作信号をその機能と対応付けてキー単位で予め設定登録しておき、上記リモートコントローラの外部機器用のキー操作を受付けた場合には、設定登録していた対応するキー操作信号を読出して上記外部機器に対し出力する
ことを特徴とするテレビジョン受像システム。
【請求項２】
テレビ放送及び外部機器用の操作キーを設けたリモートコントローラと、このリモートコントローラの操作信号を受付けて無線接続された下記チューナ部に送信し、該チューナ部から送られてきたビデオ信号及び音声信号を受信して画像及び音声を再生出力するモニタ部と、このモニタと無線接続され、上記リモートコントローラでのキー操作に対応したテレビ放送または外部機器からビデオ信号及び音声信号を取得し、取得したビデオ信号及び音声信号を上記モニタ部に送信するチューナ部とを有するテレビジョン受像システムであって、
上記モニタ部及びチューナ部の一方は、
少なくとも製造会社毎に異なる外部機器専用のリモートコントローラのキー操作信号体系を複数記憶し、
上記外部機器専用のリモートコントローラの代表となるキー操作信号から上記複数記憶しているキー操作信号体系を検索して、その外部機器専用のリモートコントローラのキー操作信号体系を設定登録し、
上記リモートコントローラの外部機器用のキー操作を受付けた場合には、設定登録していたキー操作信号体系中から対応するキー操作信号を読出して上記外部機器に対し出力する
ことを特徴とするテレビジョン受像システム。
【請求項３】
上記リモートコントローラ及び上記外部機器専用のリモートコントローラはいずれもキー操作に対応して赤外線変調信号によるキー操作信号を発信し、
上記モニタ部が上記リモートコントローラから外部機器用のキー操作信号を受付けた場合に、上記モニタ部及びチューナ部の一方は、設定登録していた対応するキー操作信号を読出し、上記チューナ部より上記外部機器に対し赤外線変調信号を出力する
ことを特徴とする請求項１または２記載のテレビジョン受像システム。
【請求項４】
上記モニタ部及びチューナ部の一方は、
製造会社名及び外部機器名を複数記憶し、
上記外部機器専用のリモートコントローラのキー操作信号を製造会社名及び外部機器名と対応付けて予め設定登録しておき、
上記モニタ部は、
リモートコントローラの外部機器用のキー操作を受付けた場合には、設定登録していた外部機器の製造会社名及び外部機器名を表示する
ことを特徴とする請求項１または２記載のテレビジョン受像システム。
【請求項５】
テレビ放送及び外部機器用の操作キーを設けたリモートコントローラと、このリモートコントローラの操作信号を受付けて無線接続された下記チューナ部に送信し、該チューナ部から送られてきたビデオ信号及び音声信号を受信して画像及び音声を再生出力するモニタ部と、このモニタと無線接続され、上記リモートコントローラでのキー操作に対応したテレビ放送または外部機器からビデオ信号及び音声信号を取得し、取得したビデオ信号及び音声信号を上記モニタ部に送信するチューナ部とを有するテレビジョン受像システムのキー操作信号設定方法であって、
上記モニタ部及びチューナ部の一方は、
上記外部機器専用のリモートコントローラのキー操作信号をその機能と対応付けてキー単位で設定登録し、
この設定登録以後、上記リモートコントローラの外部機器用のキー操作を受付けた場合には、設定登録していた対応するキー操作信号を読出して上記外部機器に対し出力する
ことを特徴とするテレビジョン受像システムのキー操作信号設定方法。
【請求項６】
テレビ放送及び外部機器用の操作キーを設けたリモートコントローラと、このリモートコントローラの操作信号を受付けて無線接続された下記チューナ部に送信し、該チューナ部から送られてきたビデオ信号及び音声信号を受信して画像及び音声を再生出力するモニタ部と、このモニタと無線接続され、上記リモートコントローラでのキー操作に対応したテレビ放送または外部機器からビデオ信号及び音声信号を取得し、取得したビデオ信号及び音声信号を上記モニタ部に送信するチューナ部とを有するテレビジョン受像システムのキー操作信号設定方法であって、
上記モニタ部及びチューナ部の一方に少なくとも製造会社毎に異なる外部機器専用のリモートコントローラのキー操作信号体系を複数記憶し、
上記モニタ部を介して受付ける、上記外部機器専用のリモートコントローラの代表となるキー操作信号から、上記複数記憶しているキー操作信号体系を検索して、その外部機器専用のリモートコントローラのキー操作信号体系を設定登録し、
上記リモートコントローラの外部機器用のキー操作を受付けた場合には、設定登録していたキー操作信号体系中から対応するキー操作信号を読出して上記外部機器に対し出力する
ことを特徴とするテレビジョン受像システムのキー操作信号設定方法。
【発明の詳細な説明】
【技術分野】
【０００１】
本発明は、例えば家屋内でモニタ部を自由に持ち運んで好きな場所でテレビ放送等を視聴することが可能なテレビジョン受像システム及び同システムのキー操作設定方法に関する。
【背景技術】
【０００２】
従来、テレビ受像機のリモートコントローラ（以下「リモコン」と略称する）を用いて外部チューナの選局と外部チューナの信号が入力されている外部入力を選択する操作を一括処理するようにしたものが考えられている。（例えば、特許文献１）
【特許文献１】特開２００３−０３７７５１号公報
【発明の開示】
【発明が解決しようとする課題】
【０００３】
しかしながら、上記特許文献１では、その図２及び図３で示される内容で外部機器の接続に対する設定登録が既になされているものとして、テレビ受像機のリモコンをキー操作した場合にどのような判定等の動作を行ない、外部機器からの入力を選択するのかを説明しているのみであり、設定登録を行なう際の具体的な動作等については一切説明されていない。
【０００４】
一般にテレビ受像機に付属しているリモコンで、他の外部機器の操作も兼ねたものでは、その外部機器の製造メーカ及び外部機器の分類、例えばＡ社のビデオデッキ、Ｂ社のＣＳチューナ等を選択することで、予め複数記憶していたリモコンのコード信号の体系から該当するもの１つを設定登録し、以後外部機器用のキーが操作されると、そのキーに対応するコード信号を読出し、赤外線信号として出力するようになる。
【０００５】
また、複数の家電製品を統括して遠隔操作する汎用のリモコン装置では、上述したような製造メーカ及び外部機器の分類を選択する他に、設定しようとする機器のリモコンのコード信号の体系が予め記憶されていない場合に、個々の機器のリモコンの送光部を受光部に当接して、個々のリモコンのキーを順次操作していくことにより、発信される赤外線信号のコードを直接記憶して学習する機能を有するものがある。
【０００６】
上記製造メーカ及び外部機器の分類を選択するものは、設定登録しようとするリモコンの側で予め複数のリモコンのコード信号の体系を記憶しておかなければならず、記憶していない体系のリモコンに対応することができない。
【０００７】
また、上記学習機能を有する汎用のリモコンでも、２つのリモコンの送光部と受光部とを当接させてキーを１つ１つ操作しなければならず、設定登録に必要な手間が非常に煩雑なものであった。
【０００８】
加えて、上記製造メーカ及び外部機器の分類を選択するもの、及び学習機能を有するもののいずれにあっても、設定登録しようとするリモコンの側に設定登録の手順や動作確認を行なうためのインジケータや液晶表示パネルなど、なんらかの表示手段が必要となる。そのため、リモコン自体の構造を簡素化したい場合、例えば浴室で使用するテレビ受像機用のリモコンのように、防水機構が必要な場合などには不向きである。
【０００９】
本発明は上記のような実情に鑑みてなされたもので、その目的とするところは、簡単な設定登録の動作により、接続されている他の外部機器も１つのリモートコントローラで統括して操作することができ、且つリモートコントローラ自体の構造を簡素化することが可能なテレビジョン受像システム及び同システムのキー操作設定方法を提供することにある。
【課題を解決するための手段】
【００１０】
請求項１記載の発明は、テレビ放送及び外部機器用の操作キーを設けたリモートコントローラと、このリモートコントローラの操作信号を受付けて無線接続された下記チューナ部に送信し、該チューナ部から送られてきたビデオ信号及び音声信号を受信して画像及び音声を再生出力するモニタ部と、このモニタと無線接続され、上記リモートコントローラでのキー操作に対応したテレビ放送または外部機器からビデオ信号及び音声信号を取得し、取得したビデオ信号及び音声信号を上記モニタ部に送信するチューナ部とを有するテレビジョン受像システムであって、上記モニタ部及びチューナ部の一方は、上記外部機器専用のリモートコントローラのキー操作信号をその機能と対応付けてキー単位で予め設定登録しておき、上記リモートコントローラの外部機器用のキー操作を受付けた場合には、設定登録していた対応するキー操作信号を読出して上記外部機器に対し出力することを特徴とする。
【００１１】
請求項２記載の発明は、テレビ放送及び外部機器用の操作キーを設けたリモートコントローラと、このリモートコントローラの操作信号を受付けて無線接続された下記チューナ部に送信し、該チューナ部から送られてきたビデオ信号及び音声信号を受信して画像及び音声を再生出力するモニタ部と、このモニタと無線接続され、上記リモートコントローラでのキー操作に対応したテレビ放送または外部機器からビデオ信号及び音声信号を取得し、取得したビデオ信号及び音声信号を上記モニタ部に送信するチューナ部とを有するテレビジョン受像システムであって、上記モニタ部及びチューナ部の一方は、少なくとも製造会社毎に異なる外部機器専用のリモートコントローラのキー操作信号体系を複数記憶し、上記外部機器専用のリモートコントローラの代表となるキー操作信号から上記複数記憶しているキー操作信号体系を検索して、その外部機器専用のリモートコントローラのキー操作信号体系を設定登録し、上記リモートコントローラの外部機器用のキー操作を受付けた場合には、設定登録していたキー操作信号体系中から対応するキー操作信号を読出して上記外部機器に対し出力することを特徴とする。
【００１２】
請求項３記載の発明は、上記請求項１または２記載の発明において、上記リモートコントローラ及び上記外部機器専用のリモートコントローラはいずれもキー操作に対応して赤外線変調信号によるキー操作信号を発信し、上記モニタ部が上記リモートコントローラから外部機器用のキー操作信号を受付けた場合に、上記モニタ部及びチューナ部の一方は、設定登録していた対応するキー操作信号を読出し、上記チューナ部より上記外部機器に対し赤外線変調信号を出力することを特徴とする。
【００１３】
請求項４記載の発明は、上記請求項１または２記載の発明において、上記モニタ部及びチューナ部の一方は、製造会社名及び外部機器名を複数記憶し、上記外部機器専用のリモートコントローラのキー操作信号を製造会社名及び外部機器名と対応付けて予め設定登録しておき、上記モニタ部は、リモートコントローラの外部機器用のキー操作を受付けた場合には、設定登録していた外部機器の製造会社名及び外部機器名を表示することを特徴とする。
【００１４】
請求項５記載の発明は、テレビ放送及び外部機器用の操作キーを設けたリモートコントローラと、このリモートコントローラの操作信号を受付けて無線接続された下記チューナ部に送信し、該チューナ部から送られてきたビデオ信号及び音声信号を受信して画像及び音声を再生出力するモニタ部と、このモニタと無線接続され、上記リモートコントローラでのキー操作に対応したテレビ放送または外部機器からビデオ信号及び音声信号を取得し、取得したビデオ信号及び音声信号を上記モニタ部に送信するチューナ部とを有するテレビジョン受像システムのキー操作信号設定方法であって、上記モニタ部及びチューナ部の一方は、上記外部機器専用のリモートコントローラのキー操作信号をその機能と対応付けてキー単位で設定登録し、この設定登録以後、上記リモートコントローラの外部機器用のキー操作を受付けた場合には、設定登録していた対応するキー操作信号を読出して上記外部機器に対し出力することを特徴とする。
【００１５】
請求項６記載の発明は、テレビ放送及び外部機器用の操作キーを設けたリモートコントローラと、このリモートコントローラの操作信号を受付けて無線接続された下記チューナ部に送信し、該チューナ部から送られてきたビデオ信号及び音声信号を受信して画像及び音声を再生出力するモニタ部と、このモニタと無線接続され、上記リモートコントローラでのキー操作に対応したテレビ放送または外部機器からビデオ信号及び音声信号を取得し、取得したビデオ信号及び音声信号を上記モニタ部に送信するチューナ部とを有するテレビジョン受像システムのキー操作信号設定方法であって、上記モニタ部及びチューナ部の一方に少なくとも製造会社毎に異なる外部機器専用のリモートコントローラのキー操作信号体系を複数記憶し、上記モニタ部を介して受付ける、上記外部機器専用のリモートコントローラの代表となるキー操作信号から、上記複数記憶しているキー操作信号体系を検索して、その外部機器専用のリモートコントローラのキー操作信号体系を設定登録し、上記リモートコントローラの外部機器用のキー操作を受付けた場合には、設定登録していたキー操作信号体系中から対応するキー操作信号を読出して上記外部機器に対し出力することを特徴とする。
【発明の効果】
【００１６】
請求項１記載の発明によれば、例えばモニタ部に表示される外部機器操作用の各機能毎に、外部機器専用のリモートコントローラをモニタ部に向けて対応するキーを順次操作することにより、チューナ部で外部機器専用のリモートコントローラのキー操作信号をその機能と対応付けてキー単位で予め設定登録することで、簡単な設定登録の動作により接続されている他の外部機器も１つのリモートコントローラで統括して操作することができ、且つリモートコントローラは他の外部機器専用のリモートコントローラのキー操作信号を発信する必要がなく、リモートコントローラの構造を簡素化することが可能となる。
【００１７】
請求項２記載の発明によれば、モニタ部に向けて外部機器専用のリモートコントローラの代表となるキー、例えば電源キーを操作することにより、チューナ部で複数記憶しているキー操作信号体系を検索して、その外部機器専用のリモートコントローラのキー操作信号体系を設定登録することで、きわめて簡単な設定登録の動作により接続されている他の外部機器も１つのリモートコントローラで統括して操作することができ、且つリモートコントローラは他の外部機器専用のリモートコントローラのキー操作信号を発信する必要がなく、リモートコントローラの構造を簡素化することが可能となる。
【００１８】
請求項３記載の発明によれば、上記請求項１または２記載の発明の効果に加えて、モニタ部に設ける、リモートコントローラと外部機器専用のリモートコントローラからの各キー操作信号を受信する受信部を１つの赤外線受光素子で兼用することができ、モニタ部の構成をより簡略化することができる。
【００１９】
請求項４記載の発明によれば、上記請求項１または２記載の発明の効果に加えて、操作した外部機器用のキーに対応して製造会社名と外部機器名が表示されるため、キー操作した内容を確認することができる。
【００２０】
請求項５記載の発明によれば、例えばモニタ部に表示される外部機器操作用の各機能毎に、外部機器専用のリモートコントローラをモニタ部に向けて対応するキーを順次操作することにより、チューナ部で外部機器専用のリモートコントローラのキー操作信号をその機能と対応付けてキー単位で予め設定登録することで、簡単な設定登録の動作により接続されている他の外部機器も１つのリモートコントローラで統括して操作することができ、且つリモートコントローラは他の外部機器専用のリモートコントローラのキー操作信号を発信する必要がなく、リモートコントローラの構造を簡素化することが可能となる。
【００２１】
請求項６記載の発明によれば、モニタ部に向けて外部機器専用のリモートコントローラの代表となるキー、例えば電源キーを操作することにより、チューナ部で複数記憶しているキー操作信号体系を検索して、その外部機器専用のリモートコントローラのキー操作信号体系を設定登録することで、きわめて簡単な設定登録の動作により接続されている他の外部機器も１つのリモートコントローラで統括して操作することができ、且つリモートコントローラは他の外部機器専用のリモートコントローラのキー操作信号を発信する必要がなく、リモートコントローラの構造を簡素化することが可能となる。
【発明を実施するための最良の形態】
【００２２】
以下本発明を家屋内で自由にモニタ部を載置してテレビ放送等を視聴可能なコードレステレビジョン受像システムに適用した場合の実施の一形態について図面を参照して説明する。
【００２３】
図１は、そのシステム全体の構成を示すもので、１がカラー液晶パネル１１とステレオスピーカ１２ａ，１２ｂとを備えたモニタ部１である。このモニタ部１にはリモコン２が備えられるもので、基本的にモニタ部１の主電源のオン／オフ以外のすべての操作はリモコン２でのキー操作で遠隔制御する。
【００２４】
このモニタ部１に対して、チューナ部３が例えばＩＥＥＥ８０２．１１ｂ規格の無線ＬＡＮ技術により無線接続される。このチューナ部３は、家屋内の一定の箇所に据置設置され、ＡＣ電源の他に、以下いずれも図示しないテレビアンテナ（またはＣＡＴＶ網）、第１の外部機器としての例えばＣＳチューナ、第２の外部機器としての例えばＤＶＤプレーヤと接続されると共に、これら第１及び第２の外部機器の各リモコン受光部に対向する位置に設けられ、それらの専用リモコンと同様のキー操作信号としての赤外線変調光を出力する外部機器コントローラを接続する。
【００２５】
すなわちこのチューナ部３は、リモコン２でのキー操作をモニタ部１を介して判断し、必要により外部機器コントローラより赤外線変調光を出力することで、テレビ放送の受信と選局、外部機器の選択、選択した外部機器に対する各種制御動作等を実行するもので、その時点で選択されている映像と音声の各信号を無線信号化してモニタ部１へ送信する。
【００２６】
モニタ部１は、チューナ部３から送られてきた映像信号に基づいてカラー液晶パネル１１で画像表示を行なう一方で、チューナ部３から送られてきた音声信号によりステレオスピーカ１２ａ，１２ｂを拡声放音する。
【００２７】
リモコン２は、主としてテレビ操作用キー２ａ及び外部機器操作用キー２ｂと、且つ後述する「呼出し」キー、「メニュー」キー、「設定＋」「設定−」「決定」キー等を備え、それらのキー操作信号は赤外線変調光として発信される。
【００２８】
モニタ部１は、赤外線受光部１３でリモコン２からの信号を受信し、そのキーコードを復調して無線信号化し、上記チューナ部３へ送信する。
【００２９】
また、モニタ部１は、例えばテレビ放送の選局のアップ／ダウンと音声出力のボリュームのアップ／ダウン、及び上記チューナ部３の設置位置で家人を呼出すための「呼出し」キーからなる簡単にキー入力部１４を備える。
【００３０】
チューナ部３が上述した如く据置設置されるのに対して、モニタ部１とリモコン２は共にコードレスであり、乾電池または充電池による電池電源で動作するもので、ユーザが家屋内で自由に持ち運びできるようになっており、且つ共にその筐体を防水構造とすることで、浴室や台所、洗面所等、水を使用する場所でも手軽にテレビ放送等を視聴可能としている。
【００３１】
しかして、モニタ部１のキー入力部１４の「呼出し」キーあるいはリモコン２の「呼出し」キー２ｃを操作した場合には、そのキー操作を受け付けたチューナ部３でスピーカ３ａよりブザー音を拡声放音することで、モニタ部１及びリモコン２のユーザがなんらかの緊急事態が生じた際にチューナ部３の周囲にいる他の家人を呼出すことができるものとしている。
【００３２】
なお、チューナ部３の前面には図示する如く上記スピーカ３ａの他に電源キー３ｂを備える。
【００３３】
図２は、上記チューナ部３の機能回路構成を示すものであり、図示しないテレビアンテナからのＲＦ信号はチューナ２１に入力される。このチューナ２１は、後述するチューニング信号により指定されたチャンネルを選局し、中間周波信号に変換して映像／音声処理部２２へ出力する。
【００３４】
この映像／音声処理部２２は、中間周波増幅、映像検波、映像増幅、ＡＦＴ検波、クロマ処理、同期分離、音声検波、音声増幅等の一連のテレビジョン信号処理を実行して映像信号と音声信号とを抽出し、制御部２３へ出力する。
【００３５】
制御部２３は、電源キー３ｂの操作により電源が投入されている間、上記チューナ２１へチューニング信号を送出する他、このチューナ部３全体の動作制御を司るもので、ＣＰＵとこのＣＰＵの動作プログラム等を不揮発的に記憶したＲＯＭ、及びワークメモリとして機能するＲＡＭ等により構成される。
【００３６】
しかして、この制御部２３に対して、モニタ通信部２４、外部機器インターフェイス（Ｉ／Ｆ）２５、赤外線（Ｉｒ）発信駆動部２６、呼出し放音部２８が接続される。
【００３７】
モニタ通信部２４は、アンテナ２９を介してＩＥＥＥ８０２．１１ｂ規格の無線ＬＡＮ技術により上記映像／音声処理部２２で得たテレビ放送か、または外部機器インターフェイス２５より得た外部機器からの入力による映像信号及び音声信号をモニタ部１側へ送出する一方で、モニタ部１側でリモコン２が操作された際や直接キー入力部１４が操作された際にはそのキー操作信号を受け付け、制御部２３へ出力する。
【００３８】
外部機器インターフェイス２５は、制御部２３の制御の下に、外部接続される第１及び第２の外部機器からそれぞれ入力される映像信号及び音声信号のいずれか一方を選択し、制御部２３へ送出する。
【００３９】
赤外線発信駆動部２６は、第１または第２の外部機器用の赤外線変調信号によるキー操作信号を発信し、赤外線ＬＥＤで構成される図示しない外部機器コントローラを発光駆動する。
【００４０】
呼出し放音部２８は、制御部２３の制御の下に上記スピーカ３ａを拡声駆動してブザー音を放音出力させる。
【００４１】
続いて図３により上記モニタ部１の機能回路構成について説明する。同図で、チューナ部３からＩＥＥＥ８０２．１１ｂ規格の無線ＬＡＮ技術により送られてくる映像信号及び音声信号は、アンテナ３１を介してチューナ通信部３２で受信され、さらに映像／音声デコーダ３３でデコードされて制御部３４へ送出される。
【００４２】
制御部３４は、キー入力部１４のキー操作信号を直接受付け、また上記リモコン２のキー操作信号を赤外線受光部１３で受信してその操作に対応してこのモニタ部１全体の制御動作を実行するもので、ＣＰＵとこのＣＰＵの動作プログラム等を不揮発的に記憶したＲＯＭ、及びワークメモリとして機能するＲＡＭ等により構成され、デコードした映像信号を表示エンコーダ３５へ送出する。
【００４３】
この表示エンコーダ３５は、送られてくる映像信号を順次ビデオＲＡＭ３６に展開記憶させ、このビデオＲＡＭ３６に記憶された映像信号を読出すことでビデオ信号を発生して表示駆動部３７に出力する。
【００４４】
表示駆動部３７は、入力されるビデオ信号により上記カラー液晶パネル１１とバックライトでなる表示部３８を表示駆動して映像の表示を行なわせる。
【００４５】
一方、映像／音声デコーダ３３でデコードされた音声信号は制御部３４により音声駆動部３９へ送られる。音声駆動部３９は、その時点で設定されているボリューム値に応じた増幅率で音声信号を増幅し、上記ステレオスピーカ１２ａ，１２ｂをそれぞれ拡声駆動して音声を出力させる。
【００４６】
なお、上記リモコン２の電源キーとボリュームのアップ／ダウンを指示するキー、テレビ操作用キー２ａ、「呼出し」キー２ｃ等以外のすべてのキー操作による信号は赤外線受光部１３で受信された後、外部リモコンキーコード記憶部４０に送られる。
【００４７】
この外部リモコンキーコード記憶部４０は、複数の製造メーカ及び外部機器の種別、例えばＣＳチューナ、ＢＳチューナ、ＤＶＤプレーヤ、ビデオテープレコーダ（ＶＴＲ）、ビデオハードディスクレコーダ、ビデオＤＶＤレコーダ、テレビゲームプレーヤ等に応じた各専用のリモコンのキー操作信号をそれぞれ体系的に記憶しており、制御部３４に指定された体系中のキー操作信号を読出して制御部３４に送出し、チューナ通信部３２、アンテナ３１を介してチューナ部３の側へ送信させる。
【００４８】
次に上記実施の形態の動作について説明する。
【００４９】
図４及び図５は、チューナ部３に接続する外部機器のリモコンコードの設定処理を示すもので、その制御は主としてモニタ部１側の制御部３４によって実行される。
【００５０】
通常の視聴状態からリモコン２の「メニュー」キーを操作すると、そのキー操作信号を赤外線受光部１３を介して受け付けた制御部３４が、図６（Ａ）に示すような各種メニュー画面の表示画像を作成してカラー液晶パネル１１で表示させる。
【００５１】
そのメニュー画面中の「（外部機器用の）リモコンコード設定」をリモコン２の「設定＋」「設定−」で選択させ、「決定」キーが操作されることでこの図４及び図５の処理が実行されるもので、その処理当初には２系統接続できる外部機器の番号を選択する（ステップＳ０１）。
【００５２】
図６（Ｂ）は、このときモニタ部１のカラー液晶パネル１１で表示される画面を例示するもので、第１の外部機器を示す「外部入力１」と第２の外部機器を示す「外部入力２」のいずれかを選択した状態で「決定」キーを操作することにより、外部機器の選択が実行される。
【００５３】
この外部機器の選択操作で、「外部入力１」「外部入力２」のいずれかを選択した状態からリモコン２の「決定」キーではなく「メニュー」キーが操作され、リモコンコードの設定を終了するキー操作がなされたか否かを判断するもので（ステップＳ０２）、「メニュー」キーが操作指された場合には、以上でこの図４及び図５のリモコンコードの設定に関する処理を終了し、上記図６（Ａ）に示したメニュー画面に戻る。
【００５４】
また、「外部入力１」「外部入力２」のいずれかを選択した状態から「メニュー」キーではなく「決定」キーが操作され、リモコンコードの設定の終了が選択されなかった場合には上記ステップＳ０２でこれを判断し、次に自動設定と手動設定のいずれかを選択する（ステップＳ０３）。
【００５５】
図６（Ｃ）は、この「自動設定」と「手動設定」の選択画面を例示するものである。「自動設定」が外部機器専用のリモートコントローラの代表的なキー、例えば「電源」キーを操作することにより、そのリモコンの主要なキーすべてを一括して登録してしまうのに対し、「手動設定」は外部機器専用のリモートコントローラのうち主要なものを１つずつ個々に操作することにより設定する。
【００５６】
しかして、「自動設定」または「手動設定」が選択され、「決定」キーの操作により指示されると、まず指示されたのが「自動設定」であるか否かを判断する（ステップＳ０４）。
【００５７】
「自動設定」が選択されて「決定」キーが操作された場合、上記ステップＳ０４でこれを判断し、次に外部機器専用のリモコンの代表となるキーの操作を受け付けるべくその操作を促す画面を表示した上で（ステップＳ０５）、その操作がなされてキー操作信号を受信するのを待機する（ステップＳ０６）。
【００５８】
図７（Ａ）は、このときモニタ部１のカラー液晶パネル１１で表示される画面を例示するものである。同画面中では、  
「外部入力１リモコンコード自動設定  
外部機器のリモコンをモニタに向けて  
［電源］ボタンを押してください。」  
なる文字列によるガイドメッセージを表示して「電源」キーの操作を促すと共に、図中に破線αで示す範囲内に位置する、外部機器専用の機器名とメーカー名、及びリモコンの主要なキーを示す記号を一括して特定の色、例えば白色表示することでまだ設定が完了していないことを表示している。
【００５９】
ここで、ガイドメッセージ通りに外部機器専用のリモコンの「電源」キーが操作され、そのキー操作信号がモニタ部１の赤外線受光部１３で受信され、対応するキーコードが制御部３４に送られてくると、制御部３４はそのキーコードにより上記外部リモコンキーコード記憶部４０に記憶している内容を照合して、同様の「電源」キーのキーコードがあるか否かを判断する（ステップＳ０７，Ｓ０８）。
【００６０】
ここで、同一の「電源」キーのキーコードが記憶されていた場合には、その外部機器専用のリモコンの主要なキー操作信号について外部リモコンキーコード記憶部４０に予め体系的に記憶されているものとしてこれを上記ステップＳ０８で判断し、以後外部リモコンキーコード記憶部４０に記憶されている「電源」キー以下の主要なキーについてそれらのキー操作信号を一括して外部機器用のキー操作信号として自動設定するべく順次処理を続行し、併せて自動設定画面をカラー液晶パネル１１で表示させて自動的に実行される設定処理の段階を表示しながら、該設定が終了するのを待機する（ステップＳ０９，Ｓ１０）。
【００６１】
図７（Ｂ）は、この自動設定処理途中のカラー液晶パネル１１の表示画面を例示するものである。このとき、図中に破線β１〜β４で示す範囲内に位置する、機器名、メーカー名と各キーを示す記号をそれぞれ特定の色、例えば緑色表示することで、外部機器が「Ｓ社」製の「ＶＴＲ」であり、それらのキーに関して設定が完了したことを表示している。
【００６２】
しかして、主要なすべてのキー操作の設定が終了し、制御部３４内部のメモリの不揮発領域への登録が完了するとステップＳ１０でこれを判断し、以上で外部機器専用のリモコンの設定に関する一連の処理を終了したものとして、再び上記ステップＳ０１からの処理に戻る。
【００６３】
また、上記ステップＳ０８で自動設定を指示した外部機器専用のリモコンの「電源」キーのキーコードが、上記外部リモコンキーコード記憶部４０に記憶されていなかった場合には、そのリモコンの他のキーを自動設定することができないので、自動設定を行なうことができず、手動設定によりキーを１つずつ設定していくよりない旨をガイドメッセージとしてカラー液晶パネル１１に表示させた上で（ステップＳ１１）、それを了解する操作がなされるのを待機する（ステップＳ１２）。
【００６４】
図７（Ｃ）は、このときカラー液晶パネル１１に表示されるガイドメッセージを例示するものである。図示する如くここでは、該当する（リモコンのキー）コードがなく、自動設定ができないので、手動設定でキーコードを登録してほしいことを表示している。
【００６５】
しかして、上記ガイドメッセージに対応してそれを了解するキー操作を行なうと、ステップＳ１２でこれが判断され、続くステップＳ１３以下の手動設定の処理を実行する。
【００６６】
このステップＳ１３以下の手動設定の処理は、上記ステップＳ０４でユーザ自身が自動設定を選択せず、手動設定を直接選択した場合にも実行されるものであり、その当初にはその外部機器の機器名を設定する（ステップＳ１３）。
【００６７】
図８（Ａ）は、モニタ部１のカラー液晶パネル１１で表示される、手動設定の入力を促す表示画面を例示するものである。ここでは、図中に破線γで示す範囲内の項目「機器」に対応する機器名がリモコン２の所定のキー操作により、例えば「ＶＴＲ」「ＤＶＤ」「ＣＳ（チューナ）」「ＢＳ（チューナ）」「その他」の順序で循環的に随時切換わるもので、図中では「ＣＳ（チューナ）」が選択されている状態を示す。
【００６８】
この状態で「決定」を指示すると、次にその外部機器のメーカー名を設定する（ステップＳ１４）。
【００６９】
図８（Ｂ）は、モニタ部１のカラー液晶パネル１１での表示画面を例示するものである。ここでは、図中に破線δで示す範囲内の項目「メーカー」に対応するメーカー名がリモコン２の所定のキー操作により、例えば「Ａ社」「Ｆ社」「Ｈ社」「Ｌ社」「Ｍ社」「Ｎ社」「Ｐ社」「Ｓ社」「Ｔ社」「Ｖ社」「その他」の順序で循環的に随時切換わるもので、図中では「Ｍ社」が選択されている状態を示す。
【００７０】
この状態で「決定」を指示すると、次に予め定められた主要な操作キーを自動的に選択し（ステップＳ１５）、その選択したキーを設定するので、対応するキーの操作を促す旨のガイドメッセージをカラー液晶パネル１１で画面表示した上で（ステップＳ１６）、対応する外部機器専用のリモコンのキー操作がなされ、モニタ部１を介してキー操作信号が入力されるのを待機する（ステップＳ１７）。
【００７１】
図８（Ｃ）は、モニタ部１のカラー液晶パネル１１で表示される、具体的な手動設定の入力を促す表示画面を例示するものである。ここでは、  
「外部機器のリモコンをモニタに向けて  
［登録する］ボタンを押してください。」  
なるガイドメッセージと共に、図中に破線εで示す範囲内の「電源」キーの表示のみを、特定の色、例えば白色で点滅表示させてその操作を促している。
【００７２】
しかして、そのガイドメッセージ通りに外部機器専用のリモコンを用いてモニタ部１の正確には赤外線受光部１３に向けて「電源」キーを操作し、そのキー操作信号が赤外線受光部１３で受信されて、対応するキーコードが制御部３４に送られてくると、制御部３４はそのキーコードを当該外部機器専用のリモコンの「電源」キーの操作に対応するものであるとして設定処理により制御部３４内部のメモリの不揮発領域に登録する（ステップＳ１８）。
【００７３】
その後、外部機器専用の主要な操作キーのすべてをまだ設定していないことを確認した上で（ステップＳ１９）、再び上記ステップＳ１５からの処理により次の操作キーの手動設定を行なう。
【００７４】
こうしてステップＳ１５〜Ｓ１９を繰返し実行することで、外部機器専用のリモコンの主要な操作キーに対応するキーコードを順次設定していく。  
図８（Ｄ）は、上記図８（Ｃ）の「電源」キーに続いて（ＣＳチューナにおいて）「１つ前のチャンネルに換える」記号を図中に破線ζ２で示す範囲内で白色による点滅表示させることで、対応するキーの操作を促す状態での表示画面を例示するものである。ここで、併せて既に設定済みの「電源」キーに関しては、図中に破線ζ１で示す範囲で、特定の色、例えば緑色で点灯表示することにより、設定を終えたことを示す。
【００７５】
また、図８（Ｅ）は、さらに１段階設定が進み、上記図８（Ｄ）の「１つ前のチャンネルに換える」キーに続いて「１つ次のチャンネルに換える」記号を図中に破線η２で示す範囲内で白色による点滅表示させることで、対応するキーの操作を促す状態での表示画面を例示するものである。ここで、併せて既に設定済みの「電源」キー及び「１つ前のチャンネルに換える」に関しては、図中に破線η１で示す範囲で、特定の色、例えば緑色で点灯表示することにより、設定を終えたことを示す。
【００７６】
こうしてステップＳ１５〜Ｓ１９を順次繰返して実行することで、外部機器専用のリモコンの主要な操作キーをすべて手動設定し、上記ステップＳ１９で最後のキー設定が終了したと判断すると、手動設定が終了したことを示す画面、具体的には対応するすべての操作キーの記号を特定の色、例えば緑色で点灯表示することにより、設定を終えたことを示すと共に、設定を終了した旨をガイドメッセージで表示し、了解を促す操作キーを提示した画面を表示して（ステップＳ２０）、その了解を促すキーが操作されるのを待機する（ステップＳ２１）。
【００７７】
しかして、了解を促すキーが操作された時点でステップＳ２１でこれを判断し、以上で外部機器専用のリモコンの設定に関する一連の処理を終了したものとして、再び上記ステップＳ０１からの処理に戻る。
【００７８】
このように自動設定または手動設定で外部機器専用のリモコンの各操作キーのキー操作信号をモニタ部１の制御部３４内部の不揮発領域にその機能と対応付けて設定登録することにより、以後リモコン２の外部機器用のキーが操作された場合に、これを受け付けたモニタ部１では、制御部３４から対応するキー操作信号を読出し、上記チューナ部３を介して外部機器コントローラより当該外部機器に向けて発信出力することとなる。
【００７９】
図９は、リモコン２のキー操作を受け付けるモニタ部１の制御部３４の処理内容を示すものである。  
その当初には赤外線受光部１３を介してリモコン２のなんらかのキー操作がなされるのを待機し（ステップＰ０１）、キー操作があった時点でこれを判断して、まずリモコン２のテレビ操作用キー２ａのうちのいずれかが操作されたか否かを判断する（ステップＰ０２）。
【００８０】
ここでテレビ操作用キー２ａのうちのいずれかが操作されたと判断した場合には、このモニタ部１とチューナ部３のみの処理で対応可能であるので、その操作されたキーに対応したテレビ視聴に関する制御動作をモニタ部１及びチューナ部３において実行した上で（ステップＰ０３）、再び次のキー操作に備えるべく上記ステップＰ０１からの処理に戻る。
【００８１】
また、上記ステップＰ０２で操作されたキーがテレビ操作用キー２ａのうちのいずれかではないと判断した場合には、次いで操作されたキーが外部機器操作用キー２ｂのうちのいずれかであるか否かを判断する（ステップＰ０４）。
【００８２】
ここで操作されたキーが外部機器操作用キー２ｂでもないと判断した場合には、続いて「呼出し」キー２ｃであるか否かを判断する（ステップＳ０５）。「呼出し」キー２ｃであった場合には、そのキー操作に対応してチューナ部３の呼出し放音部２８によりスピーカ３ａでブザー音を拡声放音させる（ステップＰ０６）。
【００８３】
また、上記ステップＰ０５で操作されたのが「呼出し」キー２ｃでもないと判断した場合には、上述した「メニュー」「設定＋」「設定−」「決定」等のキーが操作されたこととなるので、設定等に関する他の処理を実行するが、個々ではその詳細な説明は省略するものとする。
【００８４】
また、上記ステップＰ０４で操作されたキーが外部機器操作用キー２ｂのうちのいずれかであると判断した場合には、次にそのキー操作信号が制御部３４内部の不揮発領域に設定登録されているか否かを判断する（ステップＰ０７）。
【００８５】
設定登録されていると判断すると、直ちにそのキー操作信号に対応して登録されている外部機器専用のリモコンのキーコードを読出し（ステップＰ０８）、読出したキーコードに基づいてチューナ部３の赤外線発信駆動部２６により外部機器コントローラから外部機器に対して赤外線変調光によるキー操作信号を発信させる（ステップＰ０９）。  
その後、再び次のキー操作を待機するべく上記ステップＰ０１からの処理に戻る。
【００８６】
また、上記ステップＰ０７で制御部３４内部の不揮発領域にキー操作信号が設定登録されていないと判断した場合には、そのキー操作に対応した動作をさせることができないので、ＮＯＰ（Ｎｏ  ＯＰｅｒａｔｉｏｎ）処理としてそのキー操作を無効とし、次のキー操作を待機するべく上記ステップＰ０１からの処理に戻る。
【００８７】
このように、自動設定を選択し、その外部機器専用のリモコンのキー操作信号体系が予めモニタ部１の外部リモコンキーコード記憶部４０に記憶されていた場合には、代表となる特定のキー、例えば「電源」キーをモニタ部１に向けて操作するのみの、きわめて簡単な設定登録の動作により、その後はチューナ部３に接続されている他の外部機器もリモコン２で統括して操作することができるようになる。
【００８８】
この場合、他の外部機器専用のリモコンのキー操作信号を記憶しているのはモニタ部１であり、リモコン２自体は他の外部機器専用のリモコンのキー操作信号を発信する必要がないので、リモコン２に表示部等を設ける必要がなく、リモコン２の構造を簡素化することが可能となり、特にモニタ部１とリモコン２とを防水構造とする場合などに好適となる。
【００８９】
また、外部リモコンキーコード記憶部４０に外部機器専用のリモコンのキー操作信号が記憶されていない場合であっても、モニタ部１のカラー液晶パネル１１に表示される外部機器操作用の各機能毎に、外部機器専用のリモコンをモニタ部１に向けて対応するキーを順次操作することにより、モニタ部３で外部機器専用のリモコンのキー操作信号をその機能と対応付けてキー単位で制御部３４内部の不揮発領域に設定登録することで、以後、チューナ部３に接続されている他の外部機器もリモコン２で統括して操作することができるようになる。
【００９０】
また、手動操作により設定された外部機器のリモコンのキー操作信号は、予め記憶されているリモコンのキー操作信号に追加され、外部リモコンキーコード記憶部４０に記憶されるものとしてもよい。
【００９１】
この場合も、他の外部機器専用のリモコンのキー操作信号を記憶しているのはモニタ部１であり、リモコン２自体は他の外部機器専用のリモコンのキー操作信号を発信する必要がないので、リモコン２に表示部等を設ける必要がなく、リモコン２の構造を簡素化することが可能となり、特にモニタ部１とリモコン２とを防水構造とする場合などに好適となる。
【００９２】
なお、上記実施の形態では、外部機器専用のリモコンの操作キーを代表するものとして「電源」キーを操作することによりそのリモコンの主要な操作キーを一括して設定登録するものとして説明したが、外部機器専用のリモコンの操作キーを代表するキーは「電源」キーに限らず、他のキーであってもよい。
【００９３】
また、上記モニタ部１とチューナ部３はＩＥＥＥ８０２．１１ｂ規格の無線ＬＡＮ技術により無線接続されて双方向通信を行なうものとして説明したが、本発明はこれに限定するものではなく、他の無線ＬＡＮ技術、例えばＩＥＥＥ８０２．１１ａ規格、ＩＥＥＥ８０２．１１ｇ規格、あるいはＢｌｕｅｔｏｏｔｈ（Ｒ）等を用いるものとしてもよい。
【００９４】
さらに、上記実施の形態では、モニタ部１側に外部リモコンキーコード記憶部４０を設けるものとして説明したが、これにより外部機器専用のリモコンのキーコードを設定する状態では、チューナ部３の電源を投入しておく必要がなく、モニタ部１側のみで対応することができる。
【００９５】
しかしながら、チューナ部３側に外部リモコンキーコード記憶部を設けるものとしてもよく、本発明はその記憶部を配設する側を限定するものではない。
【００９６】
また、上記実施の形態では、外部機器専用のリモコンのキーコードを設定するにあたって、その外部機器のメーカ名及び機器名も登録するものとして説明したが、これによりその時点で遠隔操作しようとしている外部機器が何であるのかをユーザが随時確認しながらリモコン１２を操作することができる。
【００９７】
しかしながら、本発明は外部機器のメーカー名及び機器名を登録することを必須とするものではなく、この点についても本発明を限定するものではない。
【００９８】
その他、本発明は上記実施の形態に限らず、その要旨を逸脱しない範囲内で種々変形して実施することが可能であるものとする。
【００９９】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１００】
【図１】本発明の実施の形態に係るテレビジョン受像システムのシステム全体の構成を示す図。
【図２】同実施の形態に係るチューナ部の機能回路構成を示すブロック図。
【図３】同実施の形態に係るモニタ部の機能回路構成を示すブロック図。
【図４】同実施の形態に係る外部機器のリモコンコード設定の処理内容を示すフローチャート。
【図５】同実施の形態に係る外部機器のリモコンコード設定の処理内容を示すフローチャート。
【図６】同実施の形態に係る外部機器のリモコンコード設定時のモニタ部での画面表示内容を例示する図。
【図７】同実施の形態に係る外部機器のリモコンコード設定時のモニタ部での画面表示内容を例示する図。
【図８】同実施の形態に係る外部機器のリモコンコード設定時のモニタ部での画面表示内容を例示する図。
【図９】同実施の形態に係るモニタ部での外部機器のリモートコントローラ操作に対応する処理内容を示すフローチャート。
【符号の説明】
【０１０１】
１…モニタ部、２…リモコン、２ａ…テレビ操作用キー、２ｂ…外部機器操作用キー、、３…チューナ部、１１…カラー液晶パネル、１２ａ，１２ｂ…ステレオスピーカ、１３…赤外線受光部、１４…キー入力部、１５…、１６…、１７…、１８…、１９…、２０…、２１…チューナ、２２…映像／音声処理部、２３…制御部、２４…モニタ通信部、２５…外部機器インターフェイス（Ｉ／Ｆ）、２６…赤外線発信駆動部、２８…呼出し放音部、３１…アンテナ、３２…チューナ通信部、３３…映像／音声デコーダ、３４…制御部、３５…表示エンコーダ、３６…ビデオＲＡＭ、３７…表示駆動部、３８…表示部、３９…音声駆動部、４０…外部リモコンキーコード記憶部。
【図１】
2005318098.tif 000003
【図２】
2005318098.tif 000004
【図３】
2005318098.tif 000005
【図４】
2005318098.tif 000006
【図５】
2005318098.tif 000007
【図６】
2005318098.tif 000008
【図７】
2005318098.tif 000009
【図８】
2005318098.tif 000010
【図９】
2005318098.tif 000011